(57)【特許請求の範囲】
【請求項１】
ボックス状のユニットを複数接合してなるユニット住宅のユニット接合構造であって、
上部ユニットに設けられた雄形接合部材と、下部ユニットに設けられた前記雄形接合部材と接合する雌形接合部材とを備え、
前記雄形接合部材が、被案内部とこの被案内部の後方に後端部が縮径された被挾持部とが形成された頭部を有する接合ピンと、前記雌形接合部材との接合を解除する解除手段とを有し、
前記雌形接合部材が、昇降自在かつ拡縮自在な前記被挾持部に対応させた挾持部が形成された挾持体を有し、
前記解除手段が、前記接合ピンの外周部に摺動自在に配設された先端部に円筒体とされた解除部を有し、
前記頭部の被案内部が挾持体に当接すると、挾持体が降下しながらその口径を拡大して頭部を挾持体内部に導き入れ、ついで挾持体が上昇しながらその口径を縮小して被挾持部を挾持し、それにより前記雄形接合部材と前記雌形接合部材とが接合され、
前記解除部により前記挾持体が降下させられて同挾持体による前記被挾持部の挾持が解除され、それにより前記雄形接合部材と前記雌形接合部材との接合が解除される
ことを特徴とするユニット住宅のユニット接合構造。
【請求項２】
請求項１記載のユニット接合構造を用いて接合されてなることを特徴とするユニット住宅。
【発明の詳細な説明】
【０００１】
【発明の属する技術分野】
本発明はユニット住宅のユニット接合構造に関する。さらに詳しくは、下部ユニットに上部ユニットを所定位置に位置決めして載置すると同時に、上部ユニットと下部ユニットの接合が完了するユニット住宅のユニット接合構造に関する。
【０００２】
【従来の技術】
プレハブ住宅の中にはボックス状のユニットを複数接合してなるユニット住宅という形式のものがある。従来、このユニット住宅における一階ユニットＬと二階ユニットＵとの接合は、図１２および図１３に示すように、一階ユニットＬの上部フランジｆ１と二階ユニットＵの下部フランジｆ２とをボルト・ナット留めすることによりなされている。このため、この部分は現地における接合作業後に仕舞いをなすという施工方法が採られている。
【０００３】
しかるに、一般のプレハブ住宅においてもプレハブ化率が向上して現地における施工期間が短縮される傾向にあるところから、ユニット住宅においても現地における施工期間の一層の短縮が要求されるようになってきている。そのため、一階ユニットＬと二階ユニットＵとの接合後の現地における仕舞い作業を必要としない接合構造の出現がユニット住宅の関係者より熱望されている。
【０００４】
【発明が解決しようとする課題】
本発明はかかる従来技術の課題に鑑みなされたものであって、下部ユニットと上部ユニットを接合後において施工現場での仕舞い作業が不要となるユニット住宅のユニット接合構造を提供することを目的としている。
【０００５】
【課題を解決するための手段】
本発明は、ボックス状のユニットを複数接合してなるユニット住宅のユニット接合構造であって、上部ユニットに設けられた雄形接合部材と、下部ユニットに設けられた前記雄形接合部材と接合する雌形接合部材とを備え、前記雄形接合部材が、被案内部とこの被案内部の後方に後端部が縮径された被挾持部とが形成された頭部を有する接合ピンと、前記雌形接合部材との接合を解除する解除手段とを有し、前記雌形接合部材が、昇降自在かつ拡縮自在な前記被挾持部に対応させた挾持部が形成された挾持体を有し、前記解除手段が、前記接合ピンの外周部に摺動自在に配設された先端部に円筒体とされた解除部を有し、前記頭部の被案内部が挾持体に当接すると、挾持体が降下しながらその口径を拡大して頭部を挾持体内部に導き入れ、ついで挾持体が上昇しながらその口径を縮小して被挾持部を挾持し、それにより前記雄形接合部材と前記雌形接合部材とが接合され、前記解除部により前記挾持体が降下させられて同挾持体による前記被挾持部の挾持が解除され、それにより前記雄形接合部材と前記雌形接合部材との接合が解除されることを特徴とするユニット住宅のユニット接合構造に関する。
【０００９】
【作用】
上部ユニットを下部ユニットの上方所定位置に位置決めし、ついでその位置から降下させて下部ユニットに載置すると、例えば、上部ユニットの下面に設けられている雄形接合部材がこれに対応させて下部ユニットに設けられている雌形接合部材内に進入し、この雄形接合部材が雌形接合部材に挾持される。これにより、上部ユニットと下部ユニットとが離脱不能に接合される。
【００１０】
解除手段が設けられている本発明の好ましい態様によれば、解体などの際には上部ユニットと下部ユニットとの接合解除が容易になされる。
【００１１】
【発明の実施の形態】
以下、添付図面を参照しながら本発明を実施の形態に基づいて説明するが、本発明はかかる実施の形態のみに限定されるものではない。
【００１２】
本発明のユニット住宅のユニット接合構造（以下、単に接合構造という）の一実施の形態を図１に縦断面図で示し、この接合構造Ｊは下部接合ユニット（雌形接合部材）１０と上部接合ユニット（雄形接合部材）２０とからなる。この下部接合ユニット１０は下部ユニットＬの各コーナの角柱（角パイプ）Ｃ１の上端部に配設されており、またこの上部接合ユニット２０は上部ユニッＵトの各コーナの角柱（角パイプ）Ｃ２の下端部に前記下部接合ユニット１０に対応させて配設されている。
【００１３】
以下、下部接合ユニット１０および上部接合ユニット２０の構成について個別に説明する。
【００１４】
下部接合ユニット
下部接合ユニット１０は、中空構造の下部本体１２と、この下部本体１２の中空部に内臓されている中空構造のブロック体（挾持体）１４と、このブロック体１４の下方にあってそれを昇降自在としている昇降機構１６とを主要構成要素としてなる。
【００１５】
この下部本体１２は、図２に示すように、角パイプＣ１の外寸法と同一寸法とされている上端部の角形鍔部１２１と、この鍔部１２１の下面から角パイプＣ１の内寸法より若干小さな寸法で一体的に形成されている円柱状の胴部１２２とからなり、またその中央部には上面１２ａから下面１２ｂに貫通している中空部１２３が形成されている。
この中空部１２３は、同じく図２に示すように、上面１２ａから若干深さのすり鉢状に形成され、そのすり鉢状の下端から一体的に若干長さの円柱状に形成され、その円柱状の下端から一体的に円錐台状に形成され、その円錐台の下端から一体的に下面１２ｂまで円柱状に形成されている形状とされている。また、この下部の円柱状中空部に下面から所定深さ（所定長さ）で雌ねじ１２４が形成されている。
【００１６】
ブロック体１４は、図３に示すように、円錐台状の頭部１４１とこの頭部１４１の下端から一体的に形成されている円柱状の胴部１４２とからなり、またその中央部には上面１４ａから下面１４ｂに貫通している中空部１４３が形成されている。この頭部１４１は、図１に示すように、下部本体１２の円錐台状の中空部１２３内面に沿う形状とされている。また、この中空部１４３は、図３に示すように、上面１４ａから若干深さのすり鉢状に形成され、そのすり鉢状の下端から下面１４ｂまで一体的に円錐台状に形成されている形状とされている。
【００１７】
このブロック体１４は、また図４に示すように分割体１４Ａ，１４Ｂ，１４Ｃにより構成されている。そして、胴部１４２外周に形成された環状溝１４４に、図３に分離して示してあるコイルリング１５が装着され、その付勢力により内側方向に付勢されて一体化されている。このブロック体１４がかかる構成とされていることにより、その径の拡大・縮小が自在となる。
【００１８】
昇降機構１６は、図５に示すように円錐台状のコイルバネ１７を中心として、ブロック体１４の下面１４ｂに当接されるリング状のバネ受け１８と、このコイルバネ１７が下部本体１２から突出するのを規制しているバネ押さえ１９とからなる。このバネ押え１９は円板状とされ、そしてその外周に前記下部本体１２の中空部１２３に形成されている雌ねじ１２４と螺合する雄ねじ１９１が形成されている。また、このバネ押さえ１９の下面（外方に向いている面）１９ｂには、このバネ押さえを回転させる金具、例えばコインが係号される円弧状底面を有する溝１９２が所定長さで形成されている。
【００１９】
次に、かかる構成とされている下部接合ユニット１０の組立てについて説明する。
【００２０】
（１）下部本体下面１２ｂ側からその中空部１２３にブロック体１４をその頭部１４１から挿入する。
【００２１】
（２）ブロック体１４の頭部１４１が中空部１２３の円錐台状の内面に当接した状態でリング状のバネ受け１８を下部本体下面１２ｂ側からその中空部１２３に挿入し、先に挿入されているブロック体１４の下面１４ｂに当接させる。
【００２２】
（３）円錐台状のコイルバネ１７を下部本体下面１２ｂ側からその中空部１２３に上部側（小径側）から挿入する。
【００２３】
（４）バネ押さえ１９の上面１９ｂをバネ１７下部に当接し、バネ１７を押し込みながら下部本体１２の中空部１２３下部に形成されている雌ねじ１２４に螺合させる。これにより、下部接合ユニット１０の組立てが完了する。
【００２４】
上部接合ユニット
上部接合ユニット２０は、中空構造の上部本体２２と、この上部本体２２の中空部に内臓されている中空構造のブロック体２４と、このブロック体２４の上端部中央に嵌合されているピン固定部材２６と、このピン固定部材２６に後端部が螺着されるとともに先端部がブロック体２４の中空部を貫通して上部本体２２の下面から突出している接合ピン２８と、接合ピン２８の下部接合ユニット１０との接合を解除する接合ピン２８に沿って配設されている解除治具３０と、上部本体２２とブロック体２４との間に介装されているクッション部材３２と、ブロック体２４の上部本体２２からの離脱を規制しているリング状の蓋部材３４とを主要構成要素としてなる。
【００２５】
この上部本体２２は、図６に示すように、角パイプＣ２の外寸法と同一寸法とされている下端部の角形鍔部２２１と、この鍔部２２１の上面から角パイプＣ２の内寸法より若干小さな寸法で一体的に形成されてい円柱状の胴部２２２とからなり、またその中央部には上面２２ａから下面２２ｂに貫通している中空部２２３が形成されている。この中空部２２３は、同じく図６に示すように、鍔側の直径が小さくされている段付き円柱状とされている。そして、上端側の直径が大きな中空部２２３が形成されている上部本体２２の内面には雌ねじ２２４が形成されている。また、段部２２５の適宜個所には、この中空部２２３に配設されるブロック体２４の回転を防止するための回り止めピンが嵌合される穴２２６が形成されている。
【００２６】
ブロック体２４は、図７および図８に示すように、上部本体２２の小径の中空部２２３に遊嵌される胴部２４１と、上部本体２２内の段部２２５に載置される鍔部２４２と、ピン固定部材２６が嵌合される凹部２４３を有する頂部２４４とからなり、鍔部２４２に回り止めピンと係合されるＵ字状切欠き２４５が設けられている。また、このブロック体２４の中央部には下面２４ｂから頂部２４４の凹部２４３底面に貫通している円柱状の中空部２４６が形成されている。
【００２７】
接合ピン２８は、図９に示すように、接合頭部２８１とこの接合頭部２８１の端部から一体的に形成されている胴部２８２とからなる。また、頭部２８１は案内面が形成されている円錐台状の先端部（被案内部）２８３と、この円錐台状の先端部２８３の下底部から一体的に逆円錐台状に形成されている後端部（被挾持部）２８４とからなり、その後端部に胴部２８２の先端部が一体的に接合されて構成されている。この頭部２８１の後端部２８４は、前記下部接合ユニット１０のブロック体１４の内部に形成されている円錐台状の中空部１４３に沿う形状とされている。また、この胴部２８２の後端部には雄ねじ２８５が形成され、この雄ねじ２８５はブロック体２４の頂部２４４に嵌合されているピン固定部材２６の中央部に上面２６ａから下面２６ｂを貫通して設けられている雌ねじ２６１に螺合される。
【００２８】
解除治具３０は、図１０に示すように、円筒状の解除部３０１とこの解除部３０１の後端部に一体的に構成されている門型の操作部３０２とからなる。この解除部３０１の内面は、この解除部３０１が接合解除のために下部接合ユニット１０の本体１２の中空部１２３に進入した際に、下部接合ユニット１０に接合されている接合ピン２８の頭部２８１の後端部２８４に沿うよう先広がりのテーパーが形成されている。そして、ピン固定部材２６には、この門型の操作部３０２が挿通できるように内面に溝２６２，２６２が対称に形成されている。
【００２９】
リング状の蓋部材３４の外周には上部本体２２の上端側内面に形成されている雌ねじ２２４に螺合される雄ねじ３４１が形成され、中央部には所定の大きさの透孔３４２が形成されている。また、蓋部材３４の上面３４ａの適宜位置には、この蓋部材３４を回転させる治具の先端が係止される穴３４３，３４３が対称に設けられている（図１１参照）。
【００３０】
次に、かかる構成とされている上部接合ユニット２０の組立てについて説明する。
【００３１】
（１）ブロック体２４の頂部２４４にピン固定部材２６を固着する。
【００３２】
（２）解除治具３０をブロック体２４の胴部２４１側から挿通し、その門型の操作部３０２をピン固定部材２６の上方に突出させる。
【００３３】
（３）接合ピン２８を解除治具３０の操作部３０２内面に沿って挿通し、その胴部２８２後端部をピン固定部材２６に螺着する。
【００３４】
（４）上部本体２２の中空部２２３に接合ピン２８などが装着されたブロック体２４の胴部２４１を、その鍔部２４２に形成されたＵ字状切欠き２４５を上部本体２２の段部２２５に植設されている回り止めピンの位置に位置決めした状態で上面２２ａ側から挿通し、その鍔部２４２を上部本体２２内の段部２２５に載置する。
【００３５】
（５）蓋部材３４を上部本体２２の上端部に螺着し、ブロック体２４の上部本体２２からの離脱を規制する。
【００３６】
（６）上部本体２２とブロック体２４との隙間にクッション部材３２を上部本体の下面２２ｂ側から装着する。これにより、上部接合ユニット２０の組立てが完了する。
【００３７】
しかして、かかる構成とされている下部接合ユニット１０が配設されている下部ユニットＬに、かかる構成とされている上部接合ユニット２０が配設されている上部ユニットＵを載置すると、上部接合ユニット２０の上部ユニットＵの下面から突出している接合ピン２８の頭部２８１の円錐台状の先端部（被案内部）２８３が、下部接合ユニット１０のブロック体１４のすり鉢状の案内部に当接し、ついで下部接合ユニット１０のブロック体１４がコイルバネ１７の付勢力に抗して押し下げられる。この際、ブロック体１４はその径が拡大・縮小が自在とされているところから、ブロック体１４が押し広げられる。すなわち、ブロック体１４はその中空部１４３の口径が拡大しながら降下することになる。そのため、ブロック体１４がある程度降下すると、すり鉢状の案内部に当接している接合ピン２８の円錐台状の先端部２８３がすり鉢状の案内部から滑り落ちてブロック体１４の内部に進入する。ここで、接合ピン２８の頭部２８１の後端部２８４は逆円錐台状とされていること、およびブロック体１４がコイルバネ１７により上方に向けて付勢されていることから、今度は逆にブロック体１４が接合ピン２８の頭部２８１の後端部２８４に沿って下部本体１２の円錐台状の中空部１２３を上昇する。そのため、ブロック体１４が収縮し、接合ピン２８の頭部２８１の後端部（被挾持部）２８４を挾持する。すなわち、上部ユニットＵと下部ユニットＬが離脱不能に接合される。
【００３８】
なお、建屋の解体等により上部ユニットＵと下部ユニットＬとの接合を解除する必要が生じた場合には、上部接合ユニット２０が配設されている角パイプＣ２の解除治具３０の操作部３０２がある位置に窓を開け、その窓を利用して操作部３０２を押し下げると、解除治具３０の解除部３０１が下部本体１２の中空部１２３に進入し、ブロック体１４を押し下げることにより、接合ピン２８の頭部２８１の後端部２８４のブロック体１４による挾持が解除され、接合ピン２８を下部接合ユニット１０から引き抜くことができる。
【００３９】
以上、本発明を実施の形態に基づいて説明してきたが、本発明はかかる実施の形態のみに限定されるものではなく、種々改変が可能である。例えば、組立て手順を適宜変更することにより、上部接合ユニットの解除治具の門型操作部の頂部を円板状とすることもできる。また、コイルバネは円錐台状の他に円筒状とすることもできる。
【００４０】
【発明の効果】
以上詳述したように、本発明によればユニット住宅における下部ユニットと上部ユニットとの接合を下部ユニットに上部ユニットを載置するだけでなし得るという優れた効果が得られる。
【図面の簡単な説明】
【図１】本発明のユニット接合構造の一実施の形態の縦断面図である。
【図２】同実施の形態における下部本体の縦断面図である。
【図３】同実施の形態における下部ユニットのブロック体の縦断面図である。
【図４】同ブロック体の正面図である。
【図５】同実施の形態における下部ユニットの昇降機構を分解して示す側面図である。
【図６】同実施の形態における上部本体の縦断面図である。
【図７】同実施の形態における上部ユニットのブロック体の半断面側面図である。
【図８】同ブロック体の正面図である。
【図９】同実施の形態における上部ユニットの接合ピンの側面図である。
【図１０】同実施の形態における上部ユニットの解除治具の半断面側面図である。
【図１１】同実施の形態における上部ユニットの蓋部材の正面図である。
【図１２】従来のボルト・ナット接合の説明図である。
【図１３】同ボルト・ナット接合による接合位置を示す説明図である。
【符号の説明】
１０                    下部ユニット
１２                    下部本体
１４                    ブロック体
１４Ａ，１４Ｂ，１４Ｃ  分割体
１５                    コイルリング
１６                    昇降機構
１７                    コイルバネ
１８                    バネ受け
１９                    バネ押え
２０                    上部接合ユニット
２２                    上部本体
２４                    ブロック体
２６                    ピン固定部材
２８                    接合ピン
３０                    解除治具
３２                    クッション部材
３４                    蓋部材
Ｊ                    接合構造
Ｌ                    下部ユニット、一階ユニット
Ｕ                    上部ユニット、二階ユニット
Ｃ１，Ｃ２              角パイプ
【図１】
0003629569.tif 000002
【図２】
0003629569.tif 000003
【図３】
0003629569.tif 000004
【図４】
0003629569.tif 000005
【図５】
0003629569.tif 000006
【図６】
0003629569.tif 000007
【図７】
0003629569.tif 000008
【図８】
0003629569.tif 000009
【図９】
0003629569.tif 000010
【図１０】
0003629569.tif 000011
【図１１】
0003629569.tif 000012
【図１２】
0003629569.tif 000013
【図１３】
0003629569.tif 000014